(57)【要約】【課題】ファンによって供給される冷却風を用いて電子機機器ユニットの内部と前面の両方を効率的に冷却するようにした電子機器装置を提供する。【解決手段】ケース（１１）の内部に冷却風通路を有する電子機器ユニット（２）と、電子機器ユニット（２）の冷却風通路に冷却風を供給するファン（２１）とを備え、ファン（２１）は、その一部（２１ａ）が電子機器ユニット（２）の前面（正面パネル１１ａ）よりも前方に突出すると共に、残部（２１ｂ）が電子機器ユニット（２）の冷却風通路と対向するように配置される。【選択図】図２
2009224710.tif 000002
【特許請求の範囲】
【請求項１】
ケース内部に冷却風通路を有する電子機器ユニットと、
前記電子機器ユニットの冷却風通路に冷却風を供給するファンと、
を備え、前記ファンは、その一部が前記電子機器ユニットの前面よりも前方に突出すると共に、残部が前記電子機器ユニットの冷却風通路と対向することを特徴とする電子機器装置。
【発明の詳細な説明】
【技術分野】
【０００１】
本発明は、電子機器装置に関し、より詳しくは、強制空冷が必要な電子機器ユニットを備える電子機器装置に関する。
【背景技術】
【０００２】
筐体に実装された電子機器ユニットにファンを用いて冷却風を供給し、電子機器ユニットを強制空冷するようにした電子機器装置が知られている（例えば特許文献１参照）。
【特許文献１】特開２００５−１１９３０号公報
【発明の開示】
【発明が解決しようとする課題】
【０００３】
電子機器装置にあっては、メンテナンス時に電子機器ユニットをラックや筐体から引き出せるように、電子機器ユニットの前面に取手が設けられる場合がある。また、電子機器ユニットの前面にスイッチ類を設け、作業者が操作を行うこともある。このように、作業者が電子機器ユニットの前面に触れる可能性がある場合には、ユニット内部のみならず、ユニット前面の温度上昇も抑制する必要がある。
【０００４】
従って本発明の目的は上記した課題を解決し、ファンによって供給される冷却風を用いて電子機機器ユニットの内部と前面の両方を効率的に冷却するようにした電子機器装置を提供することにある。
【課題を解決するための手段】
【０００５】
上記した課題を解決するため、本発明に係る電子機器装置にあっては、ケース内部に冷却風通路を有する電子機器ユニットと、前記電子機器ユニットの冷却風通路に冷却風を供給するファンとを備え、前記ファンは、その一部が前記電子機器ユニットの前面よりも前方に突出すると共に、残部が前記電子機器ユニットの冷却風通路と対向するように構成した。
【発明の効果】
【０００６】
本発明に係る電子機器装置にあっては、ケース内部に冷却風通路を有する電子機器ユニットと、前記電子機器ユニットの冷却風通路に冷却風を供給するファンとを備え、前記ファンは、その一部が前記電子機器ユニットの前面よりも前方に突出すると共に、残部が前記電子機器ユニットの冷却風通路と対向するように構成したので、ファンによって供給される冷却風を用いて電子機機器ユニットの内部と前面の両方を効率的に冷却することができる。
【発明を実施するための最良の形態】
【０００７】
以下、本発明に係る電子機器用筐体を実施するための最良の形態について、図面を参照して説明する。
【０００８】
図１は、本発明に係る電子機器装置を示す正面図である。また、図２は、図１に示す電子機器装置の右側面図である。図１及び図２に示すように、電子機器装置１は、複数個の電子機器ユニット２，３，４と、冷却ファンユニット５，６と、電子機器ユニット２，３，４及び冷却ファンユニット５，６を実装するラック７とを備える。
【０００９】
電子機器ユニット２，３のそれぞれの上部には冷却ファンユニット５，６が配置され、冷却ファンユニット５，６の上部には電子機器ユニット４が配置される。ラック７は、図３に示す筐体８の内部に収容される。従って、電子機器ユニット２，３，４及び冷却ファンユニット５，６は、筐体８に収容されてラック７に実装されることになる。筐体８の前面には、扉９とその上部に配置された扉１０が設けられ、扉９を開くことによって電子機器ユニット２，３に、扉１０を開くことによって電子機器ユニット４にアクセス可能とされる。
【００１０】
図４は電子機器ユニット２の拡大前面図であり、図５は図４のＶ−Ｖ線断面図である。また、図６は、電子機器ユニット２の斜視図である。図４から図６を参照して電子機器ユニット２の構成を詳説するが、電子機器ユニット３の構成は電子機器ユニット２と同一であるため、以下の説明は電子機器ユニット３にも該当する。また、電子機器ユニット４も寸法が異なるだけで基本的な構成は電子機器ユニット２と同様なため、以下の説明は電子機器ユニット４にも該当する。
【００１１】
図４から図６に示すように、電子機器ユニット２はケース１１を有する。ケース１１は、板状の正面パネル１１ａと、正面パネル１１ａが取り付けられる収容部１１ｂとから構成される。正面パネル１１ａ（即ち、電子機器ユニット２の前面）には取手１２が設けられる。この取手１２を把持して手前に引くことにより、電子機器ユニット２をラック７から引き出すことができる。尚、図６では取手１２の図示を省略している。また、正面パネル１１ａには図示しないスイッチ類も取り付けられ、それらスイッチ類は作業者によって操作される。
【００１２】
ケース１１（より詳しくは収容部１１ｂ）には、電子回路基板１３が収容される。電子回路基板１３には複数の電子部品が実装される。複数の電子部品のうち、発熱部品１４はヒートシンク１５に接触させられる。ヒートシンク１５は、ケース１１の前後面、即ち、正面パネル１１ａと収容部１１ｂの後面に接触する。また、ヒートシンク１５には複数の冷却風通路１６が形成される。冷却風通路１６はケース１１の内部に位置し、ケース１１の底面と上面を連通するように形成される。
【００１３】
次いで、冷却ファンユニット５，６の構成を詳説する。冷却ファンユニット５と冷却ファンユニット６は同一であるため、以下の説明では冷却ファンユニット５を例に挙げて説明する。
【００１４】
図７は冷却ファンユニット５の拡大上面図であり、図８は図７に示す冷却ファンユニット５の底面図である。尚、図７には、冷却ファンユニット５に加え、その下部に位置する電子機器ユニット２も図示している。図７及び図８に示すように、冷却ファンユニット５は複数個（本実施例では２個）のファン２０，２１を備える。ファン２０，２１は同一のものであり、それぞれベース２２に固定される。ファン２０，２１は、上述した電子機器ユニット２，３，４の前後方向と平行に配列される。
【００１５】
図２及び図７に示すように、ファン２０は、その全体が電子機器ユニット２のヒートシンク１５の上部に配置され、冷却風通路１６に対向させられる。一方、ファン２１は、その一部（図７に符号２１ａで示す）が電子機器ユニット２の正面パネル１１ａよりも前方に突出させられ、残部（図７に符号２２ｂで示す）のみがヒートシンク１５の上部に配置されて冷却風通路１６に対向させられる。別言すれば、ファン２１は、電子機器ユニット２の正面パネル１１ａを跨ぎ、ヒートシンク１５の冷却風通路１６からケース１１の外部に掛けわたるようにして配置される。
【００１６】
尚、電子機器ユニット４は、その正面パネルが電子機器ユニット２の正面パネル１１ａと面一となるように配置される。このため、ファン２１の一部２１ａは、電子機器ユニット２と電子機器ユニット４の両方の正面パネルよりも前方に突出することになる。
【００１７】
ファン２０，２１は、空気を下方から吸い上げ、上方へと吐き出す。ファン２０が吸い上げた冷却風は、その全てが電子機器ユニット２の冷却風通路１６を通過する。一方、ファン２１が吸い上げた冷却風は一部が冷却風通路１６を通過し、残りは電子機器ユニット２の正面パネル１１ａの外面に沿って流れる。このように、ファン２１によって、冷却風通路１６のみならず、正面パネル１１ａの外面に沿った冷却風の流れも生じるため、電子機器ユニット２の内部と前面の両方が冷却される。即ちファン２１は、電子機器ユニット２の内部と前面の両方を冷却する機能を有する。
【００１８】
また、ファン２０が吐き出した冷却風は、その全てが電子機器ユニット４の冷却風通路を通過する一方、ファン２１が吐き出した冷却風は一部が電子機器ユニット４の冷却風通路を通過し、残りは電子機器ユニット４の正面パネルの外面に沿って流れる。これにより、電子機器ユニット４の内部と前面の両方が冷却される。このように、ファン２１は上記した機能に加え、電子機器ユニット４の内部と前面の両方を冷却する機能も有する。尚、以上の説明は、電子機器ユニット３と冷却ファンユニット６についても該当する。
【００１９】
表１に、本発明を実施した電子機器装置１の温度測定結果と、図９に示す本発明を実施していない従来の電子機器装置１００（冷却ファンユニット５，６の全体を電子機器ユニット２，３の冷却風通路に対向して配置した装置）の温度測定結果を対比して示す。尚、温度測定は、電子機器ユニット２，３の正面パネルの各点で行った。図１０に測定位置を示す。
【００２０】
【表１】
2009224710.tif 000003
【００２１】
表１に示すように、本発明に係る電子機器装置１にあっては、ファン２１の一部２１ａを電子機器ユニット２，３の正面パネルよりも前方に突出させることによって正面パネルの外面に沿った冷却風の流れも生じさせているため、従来の装置に比して正面パネルの各点の温度が低下している。
【００２２】
このように、本発明に係る電子機器装置１にあっては、ケース１１の内部に冷却風通路を有する電子機器ユニット２，３，４と、電子機器ユニット２，３，４の冷却風通路１６に冷却風を供給するファン２１とを備え、ファン２１は、その一部２１ａが電子機器ユニット２，３，４の前面（正面パネル１１ａ）よりも前方に突出すると共に、残部２１ｂが電子機器ユニット２，３，４の冷却風通路１６と対向するように構成したので、ファン２１によって供給される冷却風を用いて電子機機器ユニット２，３，４の内部と前面の両方を効率的に冷却することができる。
【図面の簡単な説明】
【００２３】
【図１】本発明に係る電子機器装置を示す正面図である。
【図２】図１に示す電子機器装置の右側面図である。
【図３】図１に示す電子機器ユニットが収容される筐体の斜視図である。
【図４】図１に示す電子機器ユニットの拡大前面図である。
【図５】図４のＶ−Ｖ線断面図である。
【図６】図１に示す電子機器ユニットの斜視図である。
【図７】図１に示す冷却ファンユニットの拡大上面図である。
【図８】図７に示す冷却ファンユニットの底面図である。
【図９】従来技術に係る電子機器装置の一例を示す側面図である、
【図１０】表１に示す測定温度の測定箇所を示す説明図である。
【符号の説明】
【００２４】
１：電子機器装置
２，３，４：電子機器ユニット
５，６：冷却ファンユニット
２０，２１：ファン
２１ａ：ファンの一部
２１ｂ：ファンの残部
１１：ケース
１１ａ：正面パネル
【図１】
2009224710.tif 000004
【図２】
2009224710.tif 000005
【図３】
2009224710.tif 000006
【図４】
2009224710.tif 000007
【図５】
2009224710.tif 000008
【図６】
2009224710.tif 000009
【図７】
2009224710.tif 000010
【図８】
2009224710.tif 000011
【図９】
2009224710.tif 000012
【図１０】
2009224710.tif 000013